(57)【要約】【課題】各種電子機器に使用される開閉装置に関し、素早く良好な感触の操作が可能なものを提供することを目的とする。【解決手段】固定体１１と可動体１２の間に、一端の支点孔１４Ａが可動体１２に揺動可能に係止され、他端の平坦部１４Ｃ両端に傾斜部１４Ｄと１４Ｅが形成された揺動体１４を設けると共に、この揺動体１４の傾斜部に、ばね１８に付勢された押圧体１７先端のリング１６Ｂを弾接させたものとしたことによって、可動体１２を少し移動させ、押圧体１7が揺動体１４の傾斜部から平坦部１４Ｃに弾接した後は、力を加えなくとも可動体１２の移動が行われるため、素早い操作が行えると共に、良好な感触で操作が可能な開閉装置を得ることができる。【選択図】図１
2009060569.tif 000002
【特許請求の範囲】
【請求項１】
略板状の固定体と、この固定体上面に所定方向へ移動可能に装着された可動体と、上記固定体と上記可動体の間に配された揺動体と、ばねにより付勢され上記揺動体に弾接する押圧体からなり、上記揺動体は、一端が上記可動体に揺動可能に係止され、他端に略平坦に形成された平坦部と、上記平坦部の両端部に外方側へ下がる傾斜部を有しており、上記固定体に対し上記可動体が開状態又は閉状態で静止している時は、上記押圧体は、上記一方の傾斜部に弾接しており、その状態から上記可動体を移動させた時に、上記揺動体が揺動して、上記押圧体が上記一方の傾斜部から平坦部を経由して他方の傾斜部へ摺動することを特徴とする開閉装置。
【請求項２】
ばねを、アーム部と屈曲部からなる板ばねで形成し、その一端を押圧体に、他端を固定体に係止したことを特徴とする請求項１記載の開閉装置。
【発明の詳細な説明】
【技術分野】
【０００１】
本発明は、携帯電話やパーソナルコンピュータ等の各種電子機器に使用される開閉装置に関するものである。
【背景技術】
【０００２】
近年、携帯電話やパーソナルコンピュータ等の電子機器の多様化や高機能化が進む中、固定筐体に対し可動筐体を開閉させて、様々な操作を行うものが増えており、これらに用いられる開閉装置においても、良好な感触で多様な操作が可能なものが求められている。
【０００３】
このような従来の開閉装置を用いた電子機器について、主に携帯電話を例に、図１３及び図１４を用いて説明する。
【０００４】
図１４は従来の開閉装置の分解斜視図であり、同図において、１は両端が折曲された略板状の固定体、２は同じく可動体で、可動体２が固定体１上面に左右方向へ移動可能に装着されている。
【０００５】
また、３は線状のばねで、中間には螺旋状に巻回された複数の巻回部３Ａが重ねて形成されると共に、この巻回部３Ａ上下端からは上アーム部３Ｂと下アーム部３Ｃが延出している。
【０００６】
さらに、４Ａと４Ｂはかしめ等によって可動体２と固定体１に固着された複数のピンで、対称に配置されやや撓んだ状態の一対のばね３が、このピン４Ａと４Ｂによって上アーム部３Ｂと下アーム部３Ｃ先端を各々係止され、固定体１に対して可動体２を左または右方向へ付勢して、開閉装置５が構成されている。
【０００７】
そして、このように構成された開閉装置５が、例えば、図１３の携帯電話の斜視図に示すように、固定体１が上面に複数のキーからなる操作部２２Ａやマイクロフォン等の音声入力部２２Ｂが形成された固定筐体２２へ、可動体２が上面に液晶表示素子等の表示部２３Ａやスピーカ等の音声出力部２３Ｂが形成された可動筐体２３へ各々装着され、開閉装置５によって固定筐体２２に対して可動筐体２３が左右方向へ移動可能に保持されて電子機器が構成される。
【０００８】
以上の構成において、図１３や図１４に示すように、一対のばね３によって固定体１に対して可動体２が右方向へ付勢された状態では、可動体２が装着された可動筐体２３が固定筐体２２に対して右方向へ付勢され、操作部２２Ａや音声入力部２２Ｂが露出し通話等が可能な、可動筐体２３が開いた状態で保持されている。
【０００９】
そして、この開状態から、可動筐体２３を手で左方向へ摺動すると、この操作に伴って可動筐体２３に装着された可動体２が左方向へ移動し、ピン４Ａによって可動体２に係止された上アーム部３Ｂ先端が、ピン４Ｂによって固定体１に係止された下アーム部３Ｃ先端を超える位置になると、一対のばね３の荷重が反転して可動体２が左方向へ付勢され、可動筐体２３が固定筐体２２上に重なった状態、即ち閉じた状態で保持される。
【００１０】
つまり、可動筐体２３に装着された可動体２を、ばね３の荷重が反転するまで手で左または右方向へ移動させ、ばね３の力によって可動体２を左または右方向へ付勢することで、固定筐体２２に対する可動筐体２３の開閉操作が行われるように構成されているものであった。
【００１１】
なお、この出願の発明に関連する先行技術文献情報としては、例えば、特許文献１が知られている。
【特許文献１】特開２００６−６６５２６号公報
【発明の開示】
【発明が解決しようとする課題】
【００１２】
しかしながら、上記従来の開閉装置においては、右または左方向への開閉操作を行う際、可動体２をばね３が反転する、上アーム部３Ｂ先端が下アーム部３Ｃ先端を超える位置、つまり全移動量の中間をやや超える位置までは、ばね３の付勢力に逆らって手で可動体２を移動させる必要があるため、操作に時間を要し、良好な操作感触も得づらいという課題があった。
【００１３】
本発明は、このような従来の課題を解決するものであり、素早く良好な感触の操作が可能な開閉装置を提供することを目的とする。
【課題を解決するための手段】
【００１４】
上記目的を達成するために本発明は、以下の構成を有するものである。
【００１５】
本発明の請求項１に記載の発明は、略板状の固定体と、この固定体上面に所定方向へ移動可能に装着された可動体と、上記固定体と上記可動体の間に配された揺動体と、ばねにより付勢され上記揺動体に弾接する押圧体から開閉装置が構成され、ここで、揺動体は、一端が上記可動体に揺動可能に係止され、他端に略平坦に形成された平坦部と、上記平坦部の両端部に外方側へ下がる傾斜部を有しており、上記固定体に対し上記可動体が開状態又は閉状態で静止している時は、揺動体に係止された押圧体が、上記一方の傾斜部に弾接しており、その状態から上記可動体を移動させた時に、上記揺動体が揺動して、上記押圧体が上記一方の傾斜部から平坦部を経由して他方の傾斜部へ摺動することを特徴としたものである。
【００１６】
これにより、可動体を少し移動させ、押圧体が揺動体の一方の傾斜部から平坦部に弾接した後は、平坦部は他方の傾斜部側が下がる傾斜状態となるため、押圧体が平坦部を摺動し、力を加えなくとも可動体の移動が行われ、素早い操作で開閉操作を行いうると共に、良好な感触で操作が可能な開閉装置を得ることができるという作用を有する。
【００１７】
請求項２に記載の発明は、請求項１記載の開閉装置において、ばねを、アーム部と屈曲部からなる板ばねで形成し、その一端を押圧体に、他端を固定体に係止したことを特徴としたものであり、素早く良好な感触の操作が行われると共に、ばねとしても所望の応力荷重を調整しやすくなり、かつコイル状のばねよりも、薄く構成できるため、薄型化することが可能になるという作用を有する。
【発明の効果】
【００１８】
以上のように本発明によれば、素早く良好な感触の操作が可能な開閉装置を実現することができるという有利な効果が得られる。
【発明を実施するための最良の形態】
【００１９】
以下、本発明の実施の形態について、図１〜図１３を用いて説明する。
【００２０】
なお、背景技術の項で説明した構成と同一構成の部分には同一符号を付して、詳細な説明を簡略化する。
【００２１】
（実施の形態１）
実施の形態１を用いて、本発明の特に請求項１記載の発明について説明する。
【００２２】
図１は実施の形態１による開閉装置の部分断面斜視図、図２は同分解斜視図であり、同図において、１１は両端が折曲された鋼や銅合金等の金属製で略板状の固定体、１２は同じく可動体で、可動体１２両端にはテフロン（登録商標）等の摺動材１３が取付けられ、可動体１２が摺動材１３を介して、固定体１１上面に左右方向へ移動可能に装着されている。
【００２３】
そして、１４は略Ｔ字状で鋼板や銅合金等の板材製の揺動体で、固定体１１と可動体１２の間に配置され、一端の支点孔１４Ａがリベット１５によって、可動体１２の貫通孔１２Ａに揺動可能に係止されると共に、その一端の係止部分から左方向へ折曲延出された延出部に設けられた貫通孔１４Ｂには、リベット１５Ａによってリング１６Ａが下方から回転可能に係止されると共に、その他端側の端面は平坦部１４Ｃに形成され、この左右両端は外方側が下がる傾斜部１４Ｄ、１４Ｅに形成されている。
【００２４】
また、１７は鋼板や銅合金等の押圧体で、ばね１８により揺動体１４の方向へ付勢され、この押圧体１７の先端の貫通孔１７Ａにはリベット１５Ｂにより、上面にリング１６Ｂが、下面にリング１６Ｃが、各々回転可能に係止されている。
【００２５】
ここで、上記リング１６Ｃは、可動体１２が移動した際に、角孔１１Ｃに沿って回転摺動するよう、図２に示す固定体１１に設けられた角孔１１Ｃ内に組み合わされ、また押圧体１７は、左右端を固定体１１上面の略Ｌ字状の切起部１１Ａで移動可能に係止されている。
【００２６】
そして、ばね１８は円形コイル状で鋼線や銅合金線等からなり、押圧体１７と固定体１１の間にやや撓んだ状態で装着されており、このばね１８によって、押圧体１７が揺動体１４の方向へ付勢され、先端のリング１６Ｂが揺動体１４の一方の傾斜部１４Ｄに弾接して、開閉装置２０が構成されている。
【００２７】
そして、このように構成された開閉装置２０が、例えば、図１３の携帯電話の斜視図に示すように、複数のキーからなる操作部２２Ａやマイクロフォン等の音声入力部２２Ｂが上面に形成された固定筐体２２へ固定体１１が、液晶表示素子等の表示部２３Ａやスピーカ等の音声出力部２３Ｂが上面に形成された可動筐体２３へ可動体１２が各々装着され、開閉装置２０によって固定筐体２２に対して可動筐体２３が左右方向へ移動可能に保持されて電子機器が構成される。
【００２８】
以上の構成において、固定体１１に対して可動体１２が右方向へ移動した状態では、図３（ａ）の平面図に示すように、ばね１８に付勢された押圧体１７先端のリング１６Ｂが、揺動体１４の傾斜部１４Ｄに弾接し可動体１２は右方向へ付勢されているところ、平坦部１４Ｃの左下端は、可動体１２の突起部１２Ｂに弾接していることにより、可動体１２は右方向へ移動した状態で静止されるものとなっている。
【００２９】
したがって、可動体１２が装着された可動筐体２３も固定筐体２２に対して右方向へ移動した状態で静止し、操作部２２Ａや音声入力部２２Ｂが露出し通話等が可能な、可動筐体２３が開いた状態で保持されている。
【００３０】
また、この開状態から、可動筐体２３を手で左方向へ摺動すると、可動体１２は可動筐体２３に装着されているので、図３（ｂ）に示すように、可動体１２下面に係止された揺動体１４が、支点孔１４Ａを支点として右方向へ回転しながら可動体１２と共に左方向へ移動するため、傾斜部１４Ｄの高さ位置が高くなり、これに伴ってリング１６Ｂにより、ばね１８がさらに撓められる。
【００３１】
そして、図４（ａ）に示すように、揺動体１４の左端に係止されたリング１６Ａが固定体１１上面に突出形成された摺接部１１Ｂの内側面で保持されると同時に、平坦部１４Ｃの右下端が可動体１２下面の突起部１２Ｃに各々弾接された状態となり、押圧体１７先端のリング１６Ｂは、傾斜部１４Ｄ上でばねを更に撓めることになる。
【００３２】
この後、図４（ｂ）に示すように、リング１６Ｂが平坦部１４Ｃに移動すると、揺動体１４は右に傾いているため、平坦部１４Ｃは下向きの傾きを有することとなり、リング１６Ｂは、平坦部１４Ｃ上を右方向へ回転摺動する。
【００３３】
ここで、揺動体１４左端のリング１６Ａは摺接部１１Ｂ内側面に弾接し、この摺接部１１Ｂ内側面を左方向へ回転摺動するようにしているため、ばね１８によって付勢されたリング１６Ｂの押圧力で揺動体１４が左方向へ傾くことは無い。
【００３４】
さらに、このリング１６Ｂが傾斜部１４Ｄを超えた位置からは、上記のように移動方向に向けて下がった状態に移行した平坦部１４Ｃ上を、ばね１８によって付勢されたリング１６Ｂが右方向へ回転摺動するため、図５（ａ）に示すように、可動体１２が、手を離した状態でも一気に左方向へ移動する。
【００３５】
また、この時、ばね１８によって付勢されたリング１６Ｂの押圧力で揺動体１４が右方向へ傾く力が生じるが、平坦部１４Ｃの右下端が可動体１２の突起部１２Ｃに弾接しているために、揺動体１４がさらに右に傾くことはない。
【００３６】
そして、図５（ｂ）に示すように、押圧体１７先端のリング１６Ｂが揺動体１４の他方の傾斜部１４Ｅに弾接して、可動体１２が左方向へ移動した状態で静止し、可動筐体２３が固定筐体２２上に重なった状態、すなわち閉じた状態で保持される。
【００３７】
また、この状態から逆に、可動体１２を右方向へ移動した場合にも、同様に、リング１６Ｂが揺動体１４の傾斜部１４Ｅから平坦部１４Ｃに弾接する位置になると、可動体１２がばね１８によって付勢され、一気に右方向へ移動し、図３（ａ）に示した開状態となる。
【００３８】
なお、この可動体１２が右方向へ移動する際には、図６（ａ）や図６（ｂ）に示すように、平坦部１４Ｃの左下端が可動体１２の突起部１２Ｂに弾接し、揺動体１４が左に傾き、平坦部１４Ｃ上をリング１６Ｂが左方向へ回転摺動すると共に、揺動体１４左端のリング１６Ａは摺接部１１Ｂ外側面に弾接し、この摺接部１１Ｂ外側面を右方向へ回転摺動し、開閉動作が行われる。
【００３９】
この時、可動体１２を右または左の静止位置から少し移動して、押圧体１７先端のリング１６Ｂが、揺動体１４の傾斜部１４Ｄまたは１４Ｅから平坦部１４Ｃに弾接移行した後は、揺動体１４と可動体１２が、一気に左または右方向へ移動するものにできる。
【００４０】
このように本実施の形態によれば、開閉装置は、略板状の固定体と、この固定体上面に所定方向へ移動可能に装着された可動体と、固定体と可動体の間に配された揺動体と、ばねにより付勢され揺動体に弾接する押圧体から構成されており、揺動体は、その一端が可動体に揺動可能に係止され、その他端が略平坦に形成された平坦部と、平坦部の両端部に外方側へ下がる傾斜部を有したものであり、固定体に対し可動体が開状態又は閉状態で静止している時は、押圧体は、一方の傾斜部に弾接しており、その状態から可動体を移動させた時に、揺動体が揺動して、押圧体が一方の傾斜部から平坦部を経由して他方の傾斜部へ摺動するものであるため、可動体１２を手で、全移動量の中間を超える位置まで移動させる必要はなく、左右の傾斜部１４Ｄまたは１４Ｅの分だけ移動するだけで、その後は力を加えなくとも、可動体１２が自動的に左または右方向へ移動するので、素早く良好な感触で開閉操作を行うことができるものである。
【００４１】
（実施の形態２）
実施の形態２を用いて、本発明の特に請求項２記載の発明について説明する。
【００４２】
なお、実施の形態１の構成と同一構成の部分には同一符号を付して、詳細な説明を省略する。
【００４３】
図７は本発明の第２の実施の形態による開閉装置の部分断面斜視図、図８は同分解斜視図であり、同図において、１１は略板状の固定体、１２は同じく可動体で、可動体１２両端には摺動材１３が取付けられ、可動体１２が摺動材１３を介して、固定体１１上面に装着されていることは実施の形態１と同様である。
【００４４】
そして、１４は一端の支点孔１４Ａを中心として左右に揺動可能なように、固定体１１と可動体１２の間に配置される揺動体で、上記支点孔１４Ａが可動体１２の貫通孔１２Ａに対してリベット１５により係止されており、また、１６Ａはその左側の貫通孔１４Ｂでリベット１５Ａにより下面に回転可能に係止されるリングで、上記支点孔１４Ａの他端側の端面は平坦部１４Ｃに形成され、その平坦部１４Ｃの左右両端は外方側が下がる傾斜部１４Ｄ、１４Ｅに形成されていることは実施の形態１と同様である。
【００４５】
また、１６Ｂは、揺動体１４の一方の傾斜部１４Ｄに弾接するリングであり、押圧体１７の先端の貫通孔１７Ａにリベット１５Ｂにより係止され、１６Ｃは、角孔１１Ｃに沿って回転摺動可能なリングで、リング１６Ｂと同様に、押圧体１７の先端の貫通孔１７Ａにリベット１５Ｂにより係止されていることも実施の形態１と同様である。
【００４６】
次に、１８Ａは、直線状の第１アーム部１９Ａと第２アーム部１９Ｂとの間に略円弧形状の屈曲部１９Ｄが、および第２アーム部１９Ｂと第３アーム部１９Ｃとの間に略円弧形状の屈曲部１９Ｅが設けられ、アーム部１９Ａ〜１９Ｃはほぼ同じ長さで横に並んで構成されており、上面視Ｎ字形状となる板状のばねである。
【００４７】
また、１８Ｂは、ばね１８Ａと同様の上面視Ｎ字形状を有する板状のばねで、押圧体１７に対して対称に配置され、右側のばね１８Ａは、第３アーム部１９Ｃの右端をリベット１５Ｅにより、貫通孔１１Ｄを介して固定体１１に回転可能に係止し、第１アーム部１９Ａの左端をリベット１５Ｄにより、貫通孔１７Ｂを介して押圧体１７に回転可能に係止させており、左側のばね１８Ｂは、第１アーム部１９Ａの右端をリベット１５Ｆにより、貫通孔１７Ｃを介して押圧体１７に、第３アーム部１９Ｃの左端をリベット１５Ｇにより貫通孔１１Ｅを介して固定体１１に係止させている。
【００４８】
ここで、ばね１８Ａ、１８Ｂは、隣り合うアーム部間の屈曲部１９Ｄ、１９Ｅがやや広げられた係止状態とされているため、ばね１８Ａ、１８Ｂが閉じる方向へ自然復帰するばね力が生じ、実施の形態１のばね１８の代わりとして、このばね力で押圧体１７が揺動体１４の傾斜部１４Ｄ側に押圧されるものである。
【００４９】
ここで、ばね１８Ａ、１８Ｂは鋼板や銅合金等の金属板から形成したものとしたため、金属板の厚み、巾や長さの寸法、屈曲回数を変えることなどにより、所望のばね力を得ることが出来、また、押圧体１７に対し左右のスペースを使用して配置できるため、固定体１１と可動体１２の間の空間を有効に活用できることから、実施の形態１のばね１８よりも、寸法的にも大きくでき、所望のばね力を得るための設計自由度が高いという有利な効果がある。
【００５０】
上記の構成において、図９（ａ）に示すように、固定体１１に対して可動体１２が重なった状態では、押圧体１７先端のリング１６Ｂが、揺動体１４の傾斜部１４Ｄに弾接し、揺動体１４が左方向へ傾いて可動体１２は右方向へ付勢され、平坦部１４Ｃの左下端が、可動体１２下面の下方へ突出する突起部１２Ｂに弾接しているため、固定体１１と可動体１２が重なった状態で静止している。
【００５１】
また、この状態から、可動体１２が左方向へ移動すると、図９（ｂ）に示すように、下端の支点孔１４Ａで可動体１２下面に係止された揺動体１４が、支点孔１４Ａを支点として右方向へ揺動しながら可動体１２と共に左方向へ移動するため、傾斜部１４Ｄならびにそれに弾接したリング１６Ｂが上方へ移動し、ばね１８Ａ、１８Ｂがリベット１５Ｄ〜１５Ｇの位置で回動しつつ、屈曲部１９Ｄ、１９Ｅがさらに広がって、押圧体１７を揺動体１４側に付勢するばね力が蓄えられる。
【００５２】
また、図１０（ａ）において、さらに可動体１２が左方向へ移動すると、リング１６Ｂが平坦部１４Ｃ上に移行して広げられたばね１８Ａ、１８Ｂが自然復帰する押圧力により、押圧体１７先端のリング１６Ｂが回転しながら、平坦部１４Ｃ上を右方向へ弾接摺動することで、可動体１２を左にスライドする力を加えなくても、一気に可動体１２がスライド移動する。
【００５３】
なお、このときに、揺動体１４の左端に係止されたリング１６Ａが摺接部１１Ｂ内側面を移動し、平坦部１４Ｃの右下端が可動体１２の突起部１２Ｃに弾接しているため、平坦部１４Ｃが下向きの傾きを維持できる。
【００５４】
そして、図１０（ｂ）に示すように、押圧体１７先端のリング１６Ｂが揺動体１４の傾斜部１４Ｅに弾接し、可動体１２が左方向へ移動した静止状態で保持される。
【００５５】
また、この状態から逆に、可動体１２を右方向へ移動した場合にも、同様に、リング１６Ｂが揺動体１４の傾斜部１４Ｅから平坦部１４Ｃに弾接する位置になると、ばね１８Ａ、１８Ｂからのばね力によって可動体１２が一気に右方向へ移動し、図９（ａ）に示した固定体１１と可動体１２が重なった状態となる。
【００５６】
ここで、この可動体１２が右方向へ移動する際には、図１１（ａ）や図１１（ｂ）に示すように、平坦部１４Ｃ上をリング１６Ｂが左方向へ回転摺動すると共に、揺動体１４左端のリング１６Ａは摺接部１１Ｂの外側面に弾接し、この摺接部１１Ｂの外側面を右方向へ回転摺動するようになっている。
【００５７】
なお、以上の説明では、ばね１８Ａ、１８Ｂの構成として、アーム部１９Ａ〜１９Ｃ、屈曲部１９Ｄ、１９Ｅを有する上面視が略Ｎ字形状の板ばねとして説明したが、板ばねの形状はこれに限定されることなく、アーム部が２本で屈曲部が１箇所の上面視が略Ｕ字形状のものや、アーム部が４本で屈曲部が３箇所の略Ｗ字形状のものであっても良く、これによれば、固定体１１での板ばねを配置可能なスペースに応じた設計の自由度が向上するという効果がある。
【００５８】
また、図１２に示すように、ばね１８Ａ、１８Ｂおよび押圧体１７に代えて、ばね部２５Ａ、２５Ｂおよび押圧体２５Ｃが一体化されたばね２５としても良く、これによれば、押圧体２５Ｃにリング１６Ｂ、１６Ｃを係止することにより、本実施の形態で説明した開閉動作を行うことが可能であると共に、押圧体とばねを係止するリベットが不要になり、組み立てを容易に行うことができ、かつ安価に製造することができるという有利な効果を有する。
【００５９】
このように本実施の形態によれば、複数回屈曲したばね１８Ａ、１８Ｂを用いた構成としたことによって、素早く良好な感触の操作が行われると共に、ばねとしても所望の応力荷重を調整しやすくなり、かつコイル状のばねよりも、薄く構成できるため、薄型な開閉装置を容易に実現することができるものである。
【００６０】
なお、いずれの実施の形態のものにおいても、押圧体１７にリング１６Ｂを係止させ、これが揺動体１４上の傾斜部１４Ｄから平坦部１４Ｃを介して傾斜部１４Ｅに移動するものとして説明したが、リング１６Ｂに代えて、押圧体１７先端を揺動体１４の傾斜部１４Ｄ、平坦部１４Ｃ、または傾斜部１４Ｅに直接弾接させた構成としても良く、これによればリング１６Ｂが不要で構成を簡易に出来、安価に製造しうる効果がある。
【００６１】
また、以上の説明では、平坦部１４Ｃとして説明したが、いずれの実施の形態のものにおいても、滑走部は多少中央部が窪んだものや、突出した形状であっても良く、平坦部が下方への傾斜を有していれば、本発明の実施は可能である。
【産業上の利用可能性】
【００６２】
本発明による開閉装置は、素早く良好な感触の操作が可能なものを得ることができ、各種電子機器の開閉装置として有用である。
【図面の簡単な説明】
【００６３】
【図１】実施の形態１による開閉装置の部分断面斜視図
【図２】同分解斜視図
【図３】同操作時の平面図
【図４】同操作時の平面図
【図５】同操作時の平面図
【図６】同操作時の平面図
【図７】本発明の第２の実施の形態による開閉装置の部分断面斜視図
【図８】同分解斜視図
【図９】同操作時の平面図
【図１０】同操作時の平面図
【図１１】同操作時の平面図
【図１２】同ばねの変形事例を示す斜視図
【図１３】携帯電話の斜視図
【図１４】従来の開閉装置の分解斜視図
【符号の説明】
【００６４】
１１  固定体
１１Ａ  切起部
１１Ｂ  摺接部
１１Ｃ  角孔
１１Ｄ、１１Ｅ  貫通孔
１２  可動体
１２Ａ  貫通孔
１２Ｂ、１２Ｃ  突起部
１３  摺動材
１４  揺動体
１４Ａ  支点孔
１４Ｂ  貫通孔
１４Ｃ  平坦部
１４Ｄ、１４Ｅ  傾斜部
１５、１５Ａ、１５Ｂ、１５Ｄ、１５Ｅ、１５Ｆ、１５Ｇ  リベット
１６Ａ、１６Ｂ、１６Ｃ  リング
１７  押圧体
１７Ａ、１７Ｂ、１７Ｃ  貫通孔
１８、１８Ａ、１８Ｂ  ばね
１９Ａ、１９Ｂ、１９Ｃ  アーム部
１９Ｄ、１９Ｅ  屈曲部
２０、２１  開閉装置
２２  固定筐体
２２Ａ  操作部
２２Ｂ  音声入力部
２３  可動筐体
２３Ａ  表示部
２３Ｂ  音声出力部
２５  ばね
２５Ａ、２５Ｂ  ばね部
２５Ｃ  押圧体
【図１】
2009060569.tif 000003
【図２】
2009060569.tif 000004
【図３】
2009060569.tif 000005
【図４】
2009060569.tif 000006
【図５】
2009060569.tif 000007
【図６】
2009060569.tif 000008
【図７】
2009060569.tif 000009
【図８】
2009060569.tif 000010
【図９】
2009060569.tif 000011
【図１０】
2009060569.tif 000012
【図１１】
2009060569.tif 000013
【図１２】
2009060569.tif 000014
【図１３】
2009060569.tif 000015
【図１４】
2009060569.tif 000016